(57)【要約】【課題】部品点数を増加することなく、首筋の肌に優しい肩ベルトを備えた背負い具を提供する。【解決手段】リュックサックの肩ベルト３は、高強度素材からなり表面側に位置する第１帯状部材３１と、柔らかくて通気性のあるメッシュ素材からなり裏面側に位置する第２帯状部材３２と、第１および第２帯状部材の両側縁を覆って縫い合わせる縁取り部材３３とを備える。肩ベルト３のうち、少なくとも人の首筋に当たる領域では、第２帯状部材３２が第１帯状部材３１の側縁を越えて表面側にまで張り出している。【選択図】        図６
2004329731.tif 000002
【特許請求の範囲】
【請求項１】
肩ベルトを備えた背負い具において、
前記肩ベルトは、表面側に位置する第１の帯状部材と、裏面側に位置する第２の帯状部材とを有し、
前記肩ベルトのうち、少なくとも人の首筋に当たる領域では、前記第２の帯状部材が、裏面側から前記第１の帯状部材の側縁を越えて表面側にまで張り出していることを特徴とする、背負い具。
【請求項２】
前記第１および第２の帯状部材の両側縁を覆って縫い合わせる縁取り部材をさらに備え、
前記縁取り部材は、少なくとも人の首筋に当たる領域では、前記肩ベルトの表面側であって肩ベルトの側縁から内側に離れた位置を延びている、請求項１に記載の背負い具。
【請求項３】
前記第１の帯状部材は、相対的に高い強度を有する素材から形成され、
前記第２の帯状部材は、肌に優しい素材から形成されている、請求項１または２に記載の背負い具。
【請求項４】
前記第２の素材は、通気性を有する素材から形成されている、請求項１〜３のいずれかに記載の背負い具。
【請求項５】
前記第２の素材は、メッシュ素材から形成されている、請求項４に記載の背負い具。
【発明の詳細な説明】
【０００１】
【発明の属する技術分野】
この発明は、リュックサック、子守帯等に代表される肩ベルト付の背負い具に関するものであり、特に人の身体に優しい背負い具に関するものである。
【０００２】
【従来の技術】
例えばリュックサックを背負って歩いているとき、肩ベルトの側縁が首筋に当たることがある。肩ベルトは、通常、高い強度を有する素材で構成される。このような高強度素材の肩ベルトの側縁が頻繁に首筋に当たると、首筋の肌を傷めるおそれがある。
【０００３】
特開２０００−２１７６３６号公報は、首の側面にかかる負担を軽減できるリュックサックを開示している。この公報に開示されたリュックサックでは、首の側面に当たる肩ベルト部分に切欠きを設けることにより、首の側面と肩ベルトの内縁との当接を防止している。
【０００４】
さらに、上記の特開２０００−２１７６３６号公報には、肩ベルトの切欠き部分に肩ベルト本体よりも低弾性な部材を取り付けたリュックサックも開示されている。
【０００５】
【特許文献１】
特開２０００−２１７６３６号公報
【０００６】
【発明が解決しようとする課題】
リュックサックを背負っている人は歩いたり走ったりするので、リュックサックは頻繁に左右に移動する。そのため、特開２０００−２１７６３６号公報に開示されたように肩ベルトに切欠きを設けても、肩ベルトの内縁と首の側面との接触を完全に防止することはできない。
【０００７】
切欠き部分に低弾性な部材を設ければ、肩ベルトの内縁との接触による肌の損傷を防止できる。しかしながら、肩ベルトを構成する素材とは別に、切欠き部分に特別に低弾性部材を取り付けることは、部品点数が増加するので好ましくない。
【０００８】
この発明の目的は、部品点数を増加することなく、首筋の肌に優しい肩ベルトを備えた背負い具を提供することである。
【０００９】
【課題を解決するための手段】
この発明に従った背負い具の肩ベルトは、表面側に位置する第１の帯状部材と、裏面側に位置する第２の帯状部材とを有する。肩ベルトのうち、少なくとも人の首筋に当たる領域では、第２の帯状部材が、裏面側から第１の帯状部材の側縁を越えて表面側にまで張り出している。
【００１０】
肩ベルトの強度を維持するために、好ましくは、第１の帯状部材は、高い強度を有する素材から形成される。また、人の肩に接触する第２の帯状部材は、好ましくは、肌に優しい柔らかい素材、または通気性のあるメッシュ素材などから形成される。
【００１１】
この発明によれば、歩行時に背負い具が左右に移動したとしても、第２の帯状部材が首筋の肌に接触する。第２の帯状部材を柔らかい素材で形成すれば、首筋の肌を傷めない。また、第２の素材を通気性のあるメッシュ素材などで形成すれば、首筋の湿気を取り除くことができるので、心地よい感触が得られる。第２の帯状部材は本来的に肩ベルトの構成素材であるので、部品点数の増加はない。
【００１２】
一つの実施形態では、肩ベルトは、第１および第２の帯状部材の両側縁を覆って縫い合わせる縁取り部材をさらに備える。縁取り部材を備えることにより、肩ベルトの強度は一層向上する。この場合であっても、縁取り部材は、少なくとも人の首筋に当たる領域では、肩ベルトの表面側であって肩ベルトの側縁から内側に離れた位置を延びている。したがって、この領域では、第２の帯状部材が首筋の肌に接触する。
【００１３】
【発明の実施の形態】
肩ベルトを備えた背負い具として、リュックサック、子守帯、ランドセル等があるが、以下の説明では、リュックサックを例示として取り上げる。この発明は、リュックサックに限らず、子守帯、ランドセル等の他の背負い具にも等しく適用可能である。
【００１４】
図１に示すリュックサック１は、荷物を収容するためのバッグ２と、１対の肩ベルト３とを備える。
【００１５】
図２は、肩ベルト３の要部を示す平面図（表面側から見た図）であり、図３は底面図（裏面側から見た図）である。また、図４は、図２のＡ−Ａに沿って見た断面図であり、図５は、図２のＢ−Ｂに沿って見た断面図である。
【００１６】
図示するように、肩ベルト３は、表面側に位置する第１帯状部材３１と、裏面側に位置する第２帯状部材３２と、第１および第２帯状部材の両側縁を覆って縫い合わせる縁取り部材３３とを備える。
【００１７】
肩ベルト３の強度を高めるために、第１帯状部材３１は、好ましくは、高強度の素材から形成される。肩ベルト３の裏面側に位置する第２帯状部材３２は、人の肩に接触するので、好ましくは、人の肌に優しい素材から形成される。例えば、人の肌に柔らかい感触を与えるようにするには、柔らかい素材で第２帯状部材３２を形成する。また、肌に対して通気性を提供しようとする場合には、通気性を有する素材で第２帯状部材３２を形成する。図示した実施形態では、第２帯状部材３２は、柔らかくて通気性を有するメッシュ素材で形成している。図示していないが、人の背中に接触する側のバッグ２の表面にメッシュ素材を設けておけば、全体的に通気性の良いリュックサック１となる。
【００１８】
縁取り部材３３は、第１帯状部材３１および第２帯状部材３２の両側縁のほつれを防ぐとともに、肩ベルト３の強度を向上する。相対的に強度の高い素材から形成される第１帯状部材３１および縁取り部材３３は、肌に対して優しい感触を与えない。そのため、これらの部材が直接首筋の肌に接触すると、肌を傷めるおそれがある。
【００１９】
そこで、本発明の実施形態では、肩ベルト３のうち、少なくとも人の首筋に当たる領域では、第２帯状部材３２が、裏面側から第１帯状部材３１の側縁を越えて表面側にまで張り出している。図２〜図５から明らかなように、人の首筋に当たらない領域では、縁取り部材３３が第１および第２帯状部材３１，３２の両側縁を抱えているので、肩ベルト３の両側縁に縁取り部材３３が位置する。
【００２０】
一方、人の首筋に当たる領域では、縁取り部材３３は、肩ベルト３の表面側であって肩ベルト３の内側側縁（首筋に当たる側の側縁）から内側に離れた位置を延びている。したがって、人の首筋に当たる領域にある肩ベルト３の内側側縁にはメッシュ素材の第２帯状部材３２が位置する。
【００２１】
図６は、この発明の一実施形態のリュックサックを背負った人を図解的に示している。図示するように、１対の肩ベルト３の内側側縁には、柔らかくて通気性のあるメッシュ素材の第２帯状部材３２が位置しているので、歩行中に肩ベルト３の内側側縁が首筋の肌に接触しても肌を傷めることがなく、湿気も取り除くことができる。
【００２２】
以上、図面を参照してこの発明の一実施形態を説明したが、この発明は、図示した形態のものに限定されない。この発明と同一の範囲内において、または均等の範囲内において、図示した実施形態に対して種々の修正や変形を加えることが可能である。
【００２３】
例えば、前述したように、この発明は、リュックサックだけに限られることなく、肩ベルトを備えた背負い具に対して広範囲に適用可能である。また、好ましい実施形態として、縁取り部材を備えた肩ベルトを説明したが、縁取り部材を備えていない肩ベルトであっても良い。
【図面の簡単な説明】
【図１】この発明の一実施形態のリュックサックを背負っている人を示す図である。
【図２】肩ベルトの要部を示す平面図である。
【図３】肩ベルトの要部を示す底面図である。
【図４】図２の線Ａ−Ａに沿って見た断面図である。
【図５】図２の線Ｂ−Ｂに沿って見た断面図である。
【図６】肩ベルトを背負っている人の正面図である。
【符号の説明】
１  リュックサック、２  バッグ、３  肩ベルト、３１  第１帯状部材、３２第２帯状部材、３３  縁取り部材。
【図１】
2004329731.tif 000003
【図２】
2004329731.tif 000004
【図３】
2004329731.tif 000005
【図４】
2004329731.tif 000006
【図５】
2004329731.tif 000007
【図６】
2004329731.tif 000008